(57)【要約】【課題】医薬室内に含められる医薬の劣化のリスクを解消し且つ費用節約を達成するために単純な構造を有するよう、医薬室の気密及び水密を維持し得る使い捨て注射器を提供する。【解決手段】使い捨て注射器は、その内側周囲表面の上に配置されるブッシュユニット（１０）を備えるバレル（１）と、ニードルシート（２３）を保持するためにブッシュユニット（１０）と流体密係合する管状把持ユニット（４）と、医薬室（３０）を定めるよう把持ユニット（４）と協働するために管状ユニット（１０）上で摺動可能であり且つ流体密摩擦係合する封止リング（３３）を有する管状プランジャ（３）と、把持ユニット（４）と流体密係合し、且つ、ニードルカニューレ（２４）を医薬室（３０）と連絡するダクト（５２１）を有し、それによって、医薬室（３０）の流体密性を保証する遮蔽プラグ部材（５）とを含む。【選択図】図１
2010259673.tif 000002
【特許請求の範囲】
【請求項１】
軸方向に軸を取り囲み且つその中に通路（１１）を定める周囲バレル壁（１２）を有するバレル（１）を含み、前記通路（１１）は、軸方向に互いに反対に配置される後方及び前方開口（１２１，１２２）を有し、前記周囲バレル壁（１２）は、より大きい直径の部分（１２３）と、より小さい直径の部分（１２４）とを含み、より大きい直径の部分及びより小さい直径の部分は、それぞれ前記後方及び前方開口（１２１，１２２）に近接して配置され、
前記軸に沿って延び、且つ、連絡端部（２４３）で終端するよう前記通路内に延びる固定区域（２４１）と前記前方開口（１２２）の前方に延びる先端部（２４２）とを有する、ニードルカニューレ（２４）を含み、
軸方向に互いに反対であり、且つ、前方及び後方ボア（４１３，４２３）をそれぞれ定めるよう前記軸に沿って延びる前方及び後方内側周囲把持表面（４１２，４２２）をそれぞれ有する前方及び後方把持部材（４１，４２）を含む、管状把持ユニット（４）を含み、
その中に前記ニードルカニューレ（２４）を固定するよう配置される前方ハブ部分（２３１）と、埋設端部（２３１）で終端するよう軸方向に前記前方ハブ部分（２３１）から延び、前記前方ボア（４１３）内に挿入され、且つ、前記前方内側周囲把持表面（４１２）と摩擦係合する後方被把持部分（２３２）とを含む、管状ニードルシート（２３）を含む、使い捨て注射器であって、
前記周囲バレル壁（１２）は、前記より小さい直径の部分（１２４）の上に配置され且つ後方に直面する第一肩調節部（１２７）を有し、
当該使い捨て注射器は、前記より大きい直径の部分（１２３）の上に配置されるブッシュユニット（１０）をさらに含み、該ブッシュユニット（１０）は、前記第一肩当接部（１２７）のそれぞれ近位及び遠位にあり且つ前方及び後方保持区域（１０３，１０４）でそれぞれ終端するよう互いに向かって延びる前方及び後方ブッシュ部材（１０１，１０２）を含み、
前記前方及び後方把持部材（４１，４２）は、使用の位置において、それぞれ第一及び第二摩擦力の故に、前記前方及び後方保持区域（１０３，１０４）とそれぞれ流体密係合する、前方及び後方外側周囲被保持表面（４１１，４２１）をそれぞれ有し、
当該使い捨て注射器は、さらに、
前記管状ニードルシートと異なる材料から作成され、前記後方ボア（４２３）内に挿入される、遮蔽プラグ部材（５）を含み、
該遮蔽プラグ部材（５）は、
前記ニードルカニューレ（２４）の前記連絡端部（２４３）の進入を認める合体端部（５１１）で終端するよう前方に延びるプラグ本体（５１）を含み、該プラグ本体は、該プラグ本体が前記後方内側周囲把持表面（４２２）と流体密係合するよう、前記後方ボア（４２３）を詰めるよう構成され、
前記プラグ本体（５１）から後方に延びる被定着端部（５２）を含み、該被定着端部は、使用の位置において、前記被定着端部と前記連絡端部との間の流体連絡を許容するよう軸方向に延びるよう構成されるダクト（５２１）を有し、
前記ブッシュユニット（１０）内で前記通路（１１）に沿って移動可能であるよう配置される管状プランジャ（３）を含み、
該プランジャは、
前記軸に沿って互いに反対に配置される前方及び後方開放端部壁（３１３，３１４）を有するプランジャ本体（３１）を含み、前記後方開放端部壁（３１４）は、相互に動作可能であるよう、前記後方開口の外側に延び、前記プランジャ本体（３１）は、前記前方及び後方開放端部壁の間に介在され且つ収容室（３１１）を定める中間周囲壁（３１２）をさらに有し、
変形可能な材料から作成され、前記前方開放端部壁（３１３）の上に保持的にスリーブ接続され、且つ、前記ブッシュユニット（１０）内に、前記ダクト（５２１）と連絡される医薬室（３０）を定めるよう、前記後方把持部材（４２）と協働するために、前記後方ブッシュ部材（１０２）の上で摺動可能であり且つ流体密摩擦係合する封止リング（３３）を含み、
前記軸に沿って延び且つ第三摩擦力の故に前記中間周囲壁（３１２）と摩擦係合するよう前記収容室（３１１）内に配置される被保持部分（３２２）を有する結合部材（３２）を含み、該結合部材は、前記前方及び後方把持部材（４１，４２）が使用位置において前記第一及び第二摩擦力に対する前記プランジャ（３）の前方移動の故に前方に押されるとき、前記定着部分（３２１）が前記被定着端部（５２）と結合させられ、それが前記第一肩当接部（１２７）に対する前記前方ハブ部分（２３１）の当接の故に移動されないままであり且つ所定位置に留まるよう、並びに、前記プランジャ（３）が、前記第三摩擦力に抗する前記結合部材（３２）に対する前記プランジャ本体（３１）の移動を引き起こすよう、さらに前方に移動されるや否や、前記被保持部分（３２２）が、前記中間周囲壁（３１２）から解放され、それによって、前記定着部分（３２１）を備える前記被定着端部（５２）の後退位置への移動を許容するよう、該結合部材（３２）が前方に移動されるときに前記被定着端部（５２）と係合可能であるべく前方に前記被保持部分（３２２）から延びる定着部分（３２１）を有し、その場合には、前記定着部分（３２１）は、前記後方開放端部壁（３１４）により近接して配置され、前記ニードルシート（２３）、前記遮蔽プラグ部材（５）、及び、前記ニードルカニューレは、前記収容室（３１１）内に収容されることを特徴とする、
使い捨て注射器。
【請求項２】
前記定着部分（３２１）は、ソケットの形態であり、前記被定着端部（５２）は、前記ソケットと結合するよう構成され且つ前記後方把持部材（４２）の径方向に外側に配置されるプラグの形態であり、前記被定着端部（５２）は、前記医薬室（３０）を前記ダクト（５２１）と連絡するよう径方向に延び、前記ソケットが前記プラグに実質的に係合させられるときに、前記径方向入口（５５）が開放されたままであり、それによって、前記ダクト（５２１）と前記医薬室（３０）との間の軸方向連絡を中断するよう、前記後方把持部材（４２）に近接して配置されることを特徴とする、請求項１に記載の使い捨て注射器。
【請求項３】
前記周囲バレル壁（１２）は、前記より小さい直径の部分（１２４）と前記より大きい直径の部分（１２３）との間に形成され且つ前方に直面する第二肩当接部（１２５）を有し、前記より大きい直径の部分（１２３）は、前記後方開口（１２１）に隣接して配置され且つ後方に直面する第三肩当接部（１２８）を有し、
当該使い捨て注射器は、さらに、
前記より小さい直径の部分（１２４）の上に取り外し可能にスリーブ接続され且つ前記ニードルカニューレ（２４）を遮蔽するために前記第二肩当接部（１２５）に対して当接する前方保護体（１４）と、
前記より大きい直径の部分（１２３）の上に取り外し可能にスリーブ接続され且つ前記プランジャ（３）を遮蔽するために前記第三肩当接部（１２８）に対して当接する後方保護体（１５）と、
前記前方保護体（１４）を前記第二肩当接部（１２５）に剥離可能に接着するよう配置される前方封止ストリップ（１６）と、
前記後方保護体（１５）を前記より大きい直径の部分（１２３）に剥離可能に接着するよう配置される後方封止ストリップ（１６）とを含むことを特徴とする、
請求項１に記載の使い捨て注射器。
【請求項４】
前記ニードルシート（２４）を遮蔽するよう前記より小さい直径の部分（１２４）の上に取り外し可能にスリーブ接続され且つエラストマー前方端部（２５２）を有する気密スリーブ（２５）を含み、前記ニードルカニューレ（２４）の前記先端部（２４２）は、前記エラストマー前方端部（２５２）内に捕捉されることを特徴とする、請求項３に記載の使い捨て注射器。
【請求項５】
前記より小さい直径の部分（１２４）は、前記把持ユニット（４）が前記第一及び第二摩擦力に抗する前記プランジャ（３）の前方移動の故に前方に押されるときに、前記前方ハブ部分（２３１）が、前記第一肩当接部（１２７）に対して当接し、それによって、前記ニードルカニューレ（２４）の後退のための開始作用を容易化するために、前記摩擦減少地域（１２９）を越えて移動されるよう、前記第一肩当接部（１２７）と前記前方ハブ部分（２３１）との間に配置される摩擦減少地域（１２９）を有することを特徴とする、請求項１に記載の使い捨て注射器。
【請求項６】
前記より小さい直径の部分（１２４）内に配置され、前記前方端部壁（２３１１）に対して当接し、且つ、前記後退位置に向かって移動するよう、前記遮蔽プラグ部材（５）と共に、前記ニードルシート（２３）を付勢するために、前記ニードルカニューレ（２４）を取り囲むコイルバネを含むことを特徴とする、請求項１に記載の使い捨て注射器。
【発明の詳細な説明】
【技術分野】
【０００１】
この発明は、使い捨て注射器に関し、より具体的には、片手での注射及びニードル後退操作を容易化するための事前充填使い捨て注射器に関する。
【背景技術】
【０００２】
後退可能な歯科用注射に関する米国特許第６，２２１，０５５Ｂ１号には、事前充填注射器が開示されており、事前充填注射器は、バレルと、薬品が充填され且つバレルの後方開放端部からバレル内に挿入され且つニードルの後部先端によって穿刺されるカープルによってニードルと連絡されるカープル及びプランジャ組立体と、ニードルをバレル内に保持するためのプッシュリングとを含む。注射の終わりに、プランジャは、プッシュリングがニードルの後退を許容するよう取り外されるよう、カープルを移動するためにさらに押される。しかしながら、カープルは事前にバレル内に収容され得ず、カープル及びバレルは使用中に後続の組立体のために別個に詰め込まれなければならず、それによって、操作時間の増大を招く。加えて、そのような注射器構造は、注射器の製造を複雑化する。
【０００３】
従って、米国特許出願第１１／６０１，５２６号において、出願人は、内臓カープルを備える使い捨て注射器を開示した。使い捨て注射器は、医療作業者による臨床注射作業が単純化され且つ便利に行われるよう、バレル内で事前組み立てされ得るカープルを含む。その上、注射の後、注射器は、注射後に便利に再利用不能にされ得るし、注射及びニードル後退は単一操作で円滑に行われ得る。
【０００４】
医薬室内に含められる医薬の劣化のリスクを排除し、注射器の構造を単純化するために、医薬室の気密及び水密を保証するよう、前述の注射器を改良することが望ましい。
【発明の概要】
【発明が解決しようとする課題】
【０００５】
本発明の目的は、医薬室内に含められる医薬の劣化のリスクを解消し且つ費用節約を達成するために単純な構造を有するよう、医薬室の気密及び水密を維持し得る使い捨て注射器を提供することである。
【課題を解決するための手段】
【０００６】
この発明によれば、使い捨て注射器は、バレルと、ブッシュユニットと、ニードルカニューレと、管状把持ユニットと、管状ニードルシートと、遮蔽プラグ部材と、管状プランジャとを含む。バレルは、その中に通路を定め且つより大きな直径の部分及びより小さい直径の部分を含む周囲バレル壁と、より小さい直径の部分の上に配置される肩当接部とを有する。ブッシュユニットは、より大きい直径の部分の上に配置され、前方及び後方保持区域でそれぞれ終端するよう互いに向かって延びる前方及び後方ブッシュ部材を含む。ニードルカニューレは、連絡端部で終端するよう通路内に延びる固定区域と、前方に延びる先端部とを有する。管状把持ユニットは、前方及び後方外側周囲被保持表面をそれぞれ含み、前方及び後方外側周囲被保持表面は、使用位置において、第一及び第二摩擦力の故に、前方及び後方保持区域とそれぞれ流体密係合し、前方及び後方把持部材は、さらに、前方及び後方ボアをそれぞれ定める前方及び後方内側周囲保持表面をそれぞれ含む。管状ニードルシートは、その中にニードルカニューレを固定するよう配置され且つ前方端部壁を有する前方ハブ部分と、埋設端部で終端するよう後方に延びる後方被把持部分とを含む。後方被把持部分は、前方ボア内に挿入され、前方内側周囲把持表面と摩擦係合する。遮蔽プラグ部材は、管状ニードルシートの材料と異なる材料から作成され、後方ボア内に挿入される。遮蔽プラグ部材は、プラグ本体と、被定着端部とを含む。プラグ本体は、ニードルカニューレの連絡端部の進入を認める合体端部を有し、後方内側周囲把持表面と流体密係合するよう、後方ボアを詰めるよう構成される。被定着端部は、被定着端部と連絡端部との間の流体連絡を許容するよう構成されるダクトを有する。管状プランジャは、ブッシュユニット内で通路に沿って移動可能であり、プランジャ本体と、プランジャ本体の前方開放端部壁の上に保持的にスリーブ接続される封止リングと、結合部材とを含む。封止リングは、医薬室を定めるよう、後方把持部材と協働するために、後方ブッシュ部材の上で摺動可能であり且つ後方ブッシュ部材と流体密摩擦係合する。結合部材は、第三摩擦力の故にプランジャ本体の中間周囲壁と摩擦係合するようプランジャ本体内に配置される被保持部分と、被定着端部と係合可能な定着部分とを有する。前方及び後方把持部材が、第一及び第二摩擦力に抗するプランジャの前方移動の故に前方に押されるとき、定着部分は、被定着端部と結合させられ、それは肩当接部に対する前方ハブ部分の当接の故に移動されないままであり且つ所定位置に留まる。プランジャが第三摩擦力に抗する結合部材に対するプランジャ本体の移動を引き起こすためにさらに前方に移動されるや否や、被保持部分は中間周囲壁から解放され、それによって、定着部分を備える被定着端部の後退位置への移動を許容し、そこで、ニードルシート、遮蔽プラグ部材、及び、ニードルカニューレは、プランジャ本体内に収容される。
【０００７】
本発明の他の機能及び利点は、付属の図面を参照して、本発明の好適実施態様の以下の詳細な記載において明らかになるであろう。
【図面の簡単な説明】
【０００８】
【図１】本発明に従った使い捨て注射器の第一好適実施態様を示す展開断面図である。
【図２】組み立てられた第一好適実施態様を示す断面図である。
【図３】第一好適実施態様の一対の指フランジを示す背面図である。
【図４】使用状態における第一好適実施態様を示す断面図である。
【図５】医薬注射が完了した後の状態における第一好適実施態様を示す部分断面図である。
【図６】ニードルシートが把持ユニットから解放されたときの第一好適実施態様を示す断面図である。
【図７】後退状態における第一好適実施態様を示す断面図である。
【図８】本発明に従った使い捨て注射器の第二好適実施態様を示す断面図である。
【図９】使用状態における第二好適実施態様を示す部分断面図である。
【図１０】本発明の使い捨て注射器の第三好適実施態様を示す展開図である。
【図１１】使用状態における第三好適実施態様を示す断面図である。
【図１２】後退状態における第三好適実施態様を示す断面図である。
【図１３】本発明に従った使い捨て注射器の第四好適実施態様を示す断面図である。
【図１４】事前使用状態における本発明に従った使い捨て注射器の第五好適実施態様を示す断面図である。
【図１５】使用状態における本発明に従った使い捨て注射器の第五好適実施態様を示す断面図である。
【発明を実施するための形態】
【０００９】
本発明がより詳細に記載される前に、明細書を通じて、同等の素子を指し示すために、同じ参照番号が使用されることが付記されるべきである。
【実施例１】
【００１０】
図１乃至３を参照すると、バレル１と、ブッシュユニット１０と、ニードルカニューレ２４と、管状把持ユニット４と、管状ニードルシート２３と、遮蔽プラグ部材５と、管状プランジャ３と、コイルバネ１３と、前方及び後方保護体１４，１５とを含む、本発明に従った使い捨て注射器の第一好適実施態様が示されている。
【００１１】
バレル１は、軸方向に軸を取り囲む周囲バレル壁１２を有し、周囲バレル壁は、その中に通路１１を定める。通路１１は、軸方向に互いに反対に配置される後方及び前方開口１２１，１２２を有する。周囲バレル壁１２は、より大きい直径の部分１２３と、より小さい直径の部分１２４とを含み、それらはそれぞれ後方及び前方開口１２１，１２２に近接して配置される。より小さい直径の部分１２４は、後方に直面する第一肩当接部を有する。第二肩当接部１２５が、より小さい直径の部分１２４とより大きい直径の部分１２３との間に形成され、前方に直面している。より大きい直径の部分１２３は、後方開口１２１に隣接して配置され且つ後方に直面する第三肩当接部１２８を有する。一対のラグ１７が、使用者の指による把持のために後方開口１２１に隣接して、より大きい直径の部分１２３から径方向に外向きに延び、図３に示されるように、医薬の名前及び量、患者の名前等を表示する印付きタブを定着するための定着孔を有する。
【００１２】
ブッシュユニット１０は、より大きい直径の部分１２３の上に配置され、前方及び後方ブッシュ部材１０１，１０２を含み、前方及び後方ブッシュ部材は、それぞれ第一肩当接部１２７に近位に並びに遠位にあり、それぞれ前方及び後方保持区域１０３，１０４で終端するよう互いに向かって延びている。
【００１３】
この実施態様において、前方及び後方ブッシュ部材１０１，１０２は、ブッシュユニット１０を構成するよう、互いに一体的に形成されている。ブッシュユニット１０は、より大きい直径の部分１２３と一体的に形成され、ガラス材料又は環状オレフィン重合体若しくは類似物のような耐薬品性を備える熱可塑性高分子材料から作成される。
【００１４】
ニードルカニューレ２４は、軸に沿って延び、連絡端部２４３で終端するよう通路１１内に延びる固定区域２４１と、前方開口１２２の前方に延びる先端部２４２とを有する。加えて、管状保持部材１８が、より小さい直径の部分１２４に適合されるようバレル１の前方開口１２２から通路１１内に挿入され、使用の位置にニードルカニューレ２４を保持するよう構成されている。気密スリーブ２５が、ニードルカニューレ２４を遮蔽するためにより小さい直径の部分１２４の上に取り外し可能にスリーブ接続され、エラストマー前方端部２５２を有することで、ニードルカニューレ２４の先端部２４２はエラストマー前方端部２５２内に捕捉される。
【００１５】
管状把持ユニット４は、軸方向に互いに反対である前方及び後方グリップ部材４１，４２を含み、前方及び後方グリップ部材は、前方及び後方外側周囲保持表面４１１，４２１をそれぞれ有し、前方及び後方外側周囲保持表面は、使用の位置において、それぞれ第一及び第二摩擦力の故に、それぞれ前方及び後方保持区域１０３，１０４と気密及び水密係合状態にあり、前方及び後方グリップ部材は、前方及び後方内側周囲グリップ表面４１２，４２２をそれぞれ有し、前方及び後方内側周囲グリップ表面は、前方及び後方ボア４１３，４２３をそれぞれ定めるよう、それぞれ軸に沿って延びている。この実施態様において、前方及び後方グリップ部材４１，４２は、互いに一体的に形成されている。具体的には、バレルは、熱可塑性材料から作成され、前方及び後方保持区域１０３，１０４は、突出リングで形成されることで、管状把持ユニット４の前方及び後方外側周囲保持表面４１１，４２１は、突出リングに保持的に固定される。代替的に、バレル１は、滑らかな内側壁表面を有するようガラス材料から作成され得るし、管状把持ユニット４は、（図８乃至１０に示されるように）突出リングで形成されない前方及び後方保持区域１０３，１０４に圧力嵌めされる。
【００１６】
管状ニードルシート２３は、その中にニードルカニューレ２４を固定するよう配置され且つ第一肩当接部１２７に直面する前方端部壁２３１１を有する前方ハブ部分２３１と、埋設端部２３４で終端するよう軸方向に前方ハブ部分２３１から延びる後方被把持部分２３２とを含む。後方被把持部分２３２は前方ボア４１３内に挿入され、前方内側周囲把持表面と摩擦係合する。
【００１７】
遮蔽プラグ部材５は、管状ニードルシート２３とは異なる材料から作成され、後方ボア４２３内に挿入される。遮蔽プラグ部材５は、プラグ本体５１と、被定着端部５２とを含む。プラグ本体５１は、合体端部５１１で終端するよう前方に延びている。この実施態様では、ニードルシート２３の埋設端部２３４は、合体端部５１１がニードルカニューレ２４の連絡端部２４３の進入を認めるよう、後方ボア４２３内で合体端部５１１を取り囲むよう配置される。合体端部５１１は、プラグ本体５１が後方周囲把持表面４２２と流体密係合するよう、後方ボア４２３を詰めるよう構成されている。被定着端部５２は、プラグ端部５１から後方に延び、使用の位置において被定着端部５２と連絡端部２４３との間の流体連絡を許容するよう軸方向に延びるよう構成されるダクト５２１を有する。具体的には、被定着端部５２は、後方把持部材４２の後方及び外側に配置されるプラグの形態にある。加えて、被定着端部５２は、ニードルカニューレ２４の連絡端部２４３と連絡されるよう径方向に延びる径方向入口５５を備え、径方向入口は、後方把持部材４２に隣接して配置される。
【００１８】
管状プランジャ３は、ブッシュユニット１０内で通路１１に沿って移動可能であるよう配置され、プランジャ本体３１と、封止リング３３と、結合部材３２とを含む。プランジャ本体３１は、軸に沿って互いに反対に配置される前方及び後方開放端部壁３１３，３１４を有する。後方開放端部壁３１４は、相互に動作可能であるよう後方開口１２１の外側に延びる。プランジャ本体３１は、さらに、前方及び後方開放端部壁３１３，３１４の間に介在され且つ収容室３１１を定める中間周囲壁３１２を有する。端部キャップ２３が、後方開放端部壁３１４を覆うよう配置される。好ましくは、収容室３１１は、減少された圧力で流体を含み得る。
【００１９】
封止リング３３は、変形可能な材料から作成され、前方開放端部壁３１３の上に保持的にスリーブ接続され、ダクト５２１と連絡される医薬室３０を通路１１内に定めるよう後方把持部材４２と協働するよう、後方ブッシュ部材１０２上で摺動可能であり且つ後方ブッシュ部材１０２と流体密摩擦係合する。
【００２０】
結合部材３２は、軸に沿って延び且つ第三摩擦力の故に中間周囲壁３１２と摩擦係合するよう収容室３１１内に配置される保持部分３２２と、保持部分３２２から前方に延びる定着部分３２１とを有する。具体的には、定着部３２１は、結合部材３２が前方に移動されるときに、プラグ状の被定着端部５２と結合するようソケットの形態にある。
【００２１】
好ましくは、図５に示されるように、より小さい直径の部分１２４は、第一肩当接部１２７とニードルシート２３の前方ハブ部分２３１との間に配置される摩擦減少地域１２９を有する。
【００２２】
コイルバネ１３は、ニードルカニューレ２４を取り囲むよう、より小さい直径の部分１２４内に配置され、後方に移動するよう遮蔽プラグ部材５と共に、ニードルシート２３を付勢するよう、より小さい直径の部分１２４及び前方端部壁２３１１に対してそれぞれ当接する２つのバネ端部１３１，１３２を有する。
【００２３】
前方保護体１４は、より小さい直径の部分１２４の上に取り外し可能にスリーブ接続され、気密スリーブ２５を遮蔽するために第二肩当接部１２５に対して当接する。後方保護体１５は、より大きな直径の部分１２３の上に取り外し可能にスリーブ接続され、プランジャ３を遮蔽するために第三肩当接部１２８に対して当接する。前方及び後方封止ストリップ１６が、前方保護体１４を第二肩当接部１２５に剥離可能に接着し且つ後方保護体１５をより大きい直径の部分１２３に剥離可能に接着するようそれぞれ配置される。好ましくは、気密スリーブ２５のエラストマー前方端部２５２は、前方保護体１４とネジ式に係合される。
【００２４】
バレル１、結合部材３２、封止リング３３，管状把持ユニット４、及び、遮蔽プラグ部材５は、耐薬品性材料から作成され、医薬室３０が良好な気密性及び水密性を有するよう医薬室３０を協働して定め、その中に含められる医薬の量を保証し得る。
【００２５】
図２、４、及び、５を参照すると、注射ストロークの間、前方及び後方保護体１４，１５は、先ず、ニードルカニューレ２４及びプランジャ本体３１をと出するよう取り外される。次に、操作者は彼／彼女の人差指及び中指でラグ１７を保持し、空気をバレル１から放出し且つバレル１内の医薬の投与量を正確に調節するために、結合部材３２及び封止リング３３が後方ブッシュ部材１０２に沿って前方に移動されるよう、彼／彼女の親指でプランジャ本体３１を前方に押す。次いで、医薬は、ダクト５２１、径方向入口５５、及び、ニードルカニューレ２４を通じて患者内に導入される。引き続き、封止リング３３を把持ユニット４に対して当接させるために、押す力がプランジャ本体３１に加えられ、それによって、図５に示されるように、注射ストロークを終了する。この時に、定着部分３２１は、医薬の滴下を防止するために被定着端部５２と適合的に係合される。
【００２６】
注射操作の間、医薬室３０内の医薬の全量を計量分配するよう、ダクト５２１と医薬室３０との間の軸方向連絡を中断するために、ソケット状の定着部分３２１がプラグ状の被定着端部５２と実質的に係合させられるとき、径方向入口５５は開放されたままであることが付記される。
【００２７】
図６及び７を参照すると、ニードルシート２３の前方ハブ部分２３１が、第一肩当接部１２７に対して当接するために摩擦減少地域１２９を越えて移動し、それによって、（以後に詳細に記載されるべき）ニードルカニューレ２４の後退のための始動作用を容易化するよう、把持ユニット４を第一及び第二摩擦力（即ち、把持ユニット４とブッシュユニット１０との間の摩擦係合）に抗して前方に押すために、押す力がプランジャ本体３１にさらに加えられる。故に、前方ハブ部分２３１の移動は、前方ハブ部分２３１とバレル１のより小さい直径の部分１２４との間の摩擦の減少をもたらす。
【００２８】
次に、ニードルシート２３及び遮蔽プラグ部材５は移動されないままであり、第一肩当接部１２７に対する前方ハブ部分２３１の当接の故に所定位置に留まる。プランジャ３が、第三摩擦力に抗する結合部材３２に対するプランジャ本体３１の移動を引き起こすようさらに前方に押されるや否や、被保持部分３２２は、中間周囲壁３１２から解放される。よって、遮蔽プラグ部材５は、コイルバネ１３の付勢力によって結合部材で後退位置に移動され、そこで、結合部材３２は、後方開放端部壁３１４により近接して配置され、ニードルシート２３、遮蔽プラグ部材５、及び、ニードルカニューレ２４は、収容室３１１内に収容される。さらに、被保持部分３２２が中間周囲壁３１２から解放されるとき、ニードルシート２３及び遮蔽プラグ部材５は、ニードルカニューレ２４と共に、結合部材で移動され、それは収容室３１１内の減圧と周囲空気との間の圧力差の故に収容室３１１内に吸引される。ニードルカニューレ２４は、コイルバネ１３が提供されない場合には、圧力差によってのみ収容室３１１内に後退され得ることが付記される。
【実施例２】
【００２９】
図８及び９を参照すると、本発明に従った使い捨て注射器の第二好適実施態様は、構造及び機能において第一好適実施態様と類似している。この実施態様では、バレル１はガラス材料から作成される。熱可塑性材料から作成されるブッシュスリーブ１９が。バレル１のより小さい直径の部分１２４の上に配置されている。第一肩当接部１２７は、ブッシュスリーブ１９の上に形成されている。ブッシュスリーブ１９は、環状当接部１９２をさらに有し、環状当接部は、コイルバネ１３が環状当接部１９２と前方端部壁２３１１との間に配置され且つ環状当接部１９２と前方端部壁２３１１との間に当接するよう、バレル１の前方開口１２２に隣接して配置され、ニードルシート２３の前方端部壁２３１１に直面する。ブッシュスリーブ１９は熱可塑性材料から作成されるので、それは所望の寸法及び形状を有するよう容易に形成され得る。よって、コイルバネ１３の組立体は、使い捨て注射器を比較的低コストで製造するのを容易化するのに効率的である。
【実施例３】
【００３０】
図１０乃至１２を参照すると、本発明に従った使い捨て注射器の第三好適実施態様は、構造及び機能において第一好適実施態様と類似している。この実施態様では、バレル１は熱可塑性材料から作成される。ブッシュユニット１０は、ガラス材料のようなバレル１よりも耐薬品性が大きい材料から作成される。医薬室３０内に含められる医薬は、バレル１よりもむしろブッシュユニット１０と接触するようになり、結合部材３２、封止リング３３、把持ユニット４、及び、遮蔽プラグ部材５によって気密及び水密状態に維持されるので、医薬は劣化されず、使い捨て注射器の製造コストは減少され得る。
【実施例４】
【００３１】
図１３を参照すると、本発明に従った使い捨て注射器の第四好適実施態様は、構造及び機能において第三好適実施態様と類似している。この実施態様では、前方ブッシュ部材１０１は、バレル１と一体的に形成され、後方ブッシュ部材１０２よりも大きい内径を有する。後方ブッシュ部材１０２の後方保持区域１０４１は、前方ブッシュ部材１０１に対して当接する端縁部１０４１を有する。加えて、前方把持部材４１は、後方に直面する肩部４１４を有し、それは前方及び後方外側周囲被保持表面４１１，４２１の間に形成され、使用の位置において後方保持区域１０３の端縁部１０４１に対して当接し、それによって、例えば、使い捨て注射器の輸送、ニードル穿孔プロセス等の間に、把持ユニット４の望ましくない後方移動を防ぐ。
【実施例５】
【００３２】
図１４及び１５を参照すると、本発明に従った使い捨て注射器の第五好適実施態様は、構造及び機能において第一好適実施態様と類似している。この実施態様では、後方ブッシュ部材１０２は、ガラス、環状オレフィン重合体、又は、類似物のような耐薬品性材料から作成され、前方ブッシュ部材１０１から分離されている。前方ブッシュ部材１０１は、バレル１のより大きい直径の部分１２３と一体的に形成され得るし、熱可塑性材料から作成され得る。その上、後方把持部材４２は、後方外側周囲被保持表面４２１から径方向に外向きに延び且つ使用の位置において後方保持区域１０４の端縁部１０４１に対して当接するフランジ４２４を有し、それによって、後方把持部材４２の望ましくない後方移動を防ぐ。
【００３３】
具体的には、図１４に示されるような使用前位置において、後方ブッシュ部材１０２及び後方把持部材４２は、軸方向において前方ブッシュ部材１０１及び前方把持部材４１からそれぞれ離間されている。使い捨て注射器が、図１５に示されるように、使用前位置から使用位置に移動されるとき、後方ブッシュ部材１０２及び後方把持部材１０１は、それぞれ前方ブッシュ部材１０１及び前方把持部材４１と係合させられる。具体的には、後方把持部材４２が前方把持部材４１と係合させられるや否や、埋設端部２３４は、ダクト５２１に達するために、ニードルカニューレ２４の連絡端部２４３がプラグ本体５１を通じて穿孔するのを許容するよう、後方ボア４２３内でプラグ本体５１と係合させられる。
【００３４】
本発明は最も実用的で最も好適な実施態様と考えられるものと関連して記載されたが、本発明は開示された実施態様に限定されず、最広義の解釈及び均等構成の精神及び範囲内に含まれる様々な構成をカバーすることが意図されていることが理解されるべきである。
【図１】
2010259673.tif 000003
【図２】
2010259673.tif 000004
【図３】
2010259673.tif 000005
【図４】
2010259673.tif 000006
【図５】
2010259673.tif 000007
【図６】
2010259673.tif 000008
【図７】
2010259673.tif 000009
【図８】
2010259673.tif 000010
【図９】
2010259673.tif 000011
【図１０】
2010259673.tif 000012
【図１１】
2010259673.tif 000013
【図１２】
2010259673.tif 000014
【図１３】
2010259673.tif 000015
【図１４】
2010259673.tif 000016
【図１５】
2010259673.tif 000017
【外国語明細書】
2010259673.tif 000018
2010259673.tif 000019
2010259673.tif 000020
2010259673.tif 000021
2010259673.tif 000022
2010259673.tif 000023
2010259673.tif 000024
2010259673.tif 000025
2010259673.tif 000026
2010259673.tif 000027
2010259673.tif 000028
2010259673.tif 000029
2010259673.tif 000030
2010259673.tif 000031
2010259673.tif 000032
2010259673.tif 000033
2010259673.tif 000034
2010259673.tif 000035
【図１】
2010259673.tif 000036
【図２】
2010259673.tif 000037
【図３】
2010259673.tif 000038
【図４】
2010259673.tif 000039
【図５】
2010259673.tif 000040
【図６】
2010259673.tif 000041
【図７】
2010259673.tif 000042
【図８】
2010259673.tif 000043
【図９】
2010259673.tif 000044
【図１０】
2010259673.tif 000045
【図１１】
2010259673.tif 000046
【図１２】
2010259673.tif 000047
【図１３】
2010259673.tif 000048
【図１４】
2010259673.tif 000049
【図１５】
2010259673.tif 000050